(57)【要約】  いくつかの空圧式に調整可能な圧力調整器（１．１、１．２、１．３）を有する圧縮空気の供給用の装置を備えたエアジェット織機であって、前記空圧式に調整可能な圧力調整器（１．１、１．２、１．３）は、それぞれ、空気の制御入口（３．１、３．２、３．３）を有している。更に、電気的に制御可能な圧力調整手段（４）と、制御圧力ライン（５）と、が存在しており、前記電気的に制御可能な圧力調整手段（４）によって、様々な異なる空気圧の値が生成され得る。各空気の制御入口（３．１、３．２、３．３）に対して、電気的に切替可能な弁（６．１、６．２、６．３）が割り当てられており、それにより空気の制御入口（３．１、３．２、３．３）は、圧力制御ライン（５）に接続可能となっている。
2015520304.tif 000002
【特許請求の範囲】
【請求項１】
いくつかの空圧式に調整可能な圧力調整器（１．１、１．２、１．３）と、電気的に制御可能な圧力調整手段（４）と、を有する圧縮空気の供給用装置を備えたエアジェット織機であって、
前記空圧式に調整可能な圧力調整器（１．１、１．２、１．３）は、それぞれ、空気の制御入口（３．１、３．２、３．３）を有しており、
前記電気的に制御可能な圧力調整手段（４）によって様々な異なる空気圧の値が生成され得る制御圧力ライン（５）が存在しており、
いくつかの電気的に切替可能な弁（６．１、６．２、６．３）が存在しており、その各々は、前記空圧式に調整可能な圧力調整器（１．１、１．２、１．３）の前記空気の制御入口（３．１、３．２、３．３）に割り当てられており、それぞれの当該電気的に切替可能な弁（６．１、６．２、６．３）を介して前記関連付けられた空気の制御入口（３．１、３．２、３．３）が前記制御圧力ラインに接続可能である
ことを特徴とするエアジェット織機。
【請求項２】
織機コントローラを更に備え、
当該織機コントローラによって、前記空圧式に調整可能な圧力調整器（１．１、１．２、１．３）の前記空気の制御入口（３．１、３．２、３．３）が、それぞれ、様々な異なる時点において前記電気的に切替可能な弁（６．１、６．２、６．３）を介して前記制御圧力ライン（５）に接続可能である
ことを特徴とする請求項１に記載のエアジェット織機。
【発明の詳細な説明】
【技術分野】
【０００１】
本発明は、圧縮空気の供給用の機器または装置を有するエアジェット織機に関する。
【背景技術】
【０００２】
圧縮空気の供給装置を有するエアジェット織機は、例えば、ＥＰ１  ２８８  ３５９Ａ１により、示されている。これは、様々な異なる圧縮空気の供給部品を有するエアジェット織機を開示しており、当該供給部品には、中央の圧縮空気供給ライン及び内部の圧縮空気分配ラインを介して供給ネットワークから圧縮空気が、供給される。いくつかの圧力調整器または圧力コントローラ、つまり減圧弁が、内部の圧縮空気分配ラインに接続されている。圧力調整器は、空圧式のまたは動力化された態様で、制御される、あるいは、調整可能である。様々な異なるエアノズルのグループに対して様々な異なる空気圧を電気的に調整またはセッティングするために、ＥＰ１  ２８８  ３５９Ａ１において、空圧式に制御される圧力調整弁に関連して、エアノズルの各グループがこのグループに割り当てられるそれぞれ１つのモータ制御された圧力調整弁によって起動されることを許容する、ということが提案されている。そのような配置は、高価であり、その組立において複雑である。
【０００３】
本発明は、エアジェット織機上のエアノズルの様々なグループまたは他の空気の消費装置のための様々な異なる空気圧の電気的に調整されたセッティングのために、単一の電気的に制御される圧力調整手段のみを用いる、という目的を有する。
【発明の概要】
【０００４】
前記目的は、独立請求項による機器または装置を有するエアジェット織機により、達成される。
【０００５】
エアジェット織機は、いくつかの空圧式に調整可能な圧力調整器を、有している。そのような圧力調整器は、一般に、供給空気用の入口、及び、空気の圧力制御用の入口を有しており、同様に、空気の出口も有している。様々な異なる制御圧力が空圧式に調整可能な圧力調整器の空気の制御入口に適用される、という点で―例えば、エアノズル、つまり様々な異なるグループまたはタイプのエアノズル、の供給に対して―、様々な異なる空気圧が調整可能である。
【０００６】
そのような空圧式に調整可能な圧力調整器、つまり減圧弁は、当業者にとって既知である。制御入口におけるある空気の制御圧力の適用の際に、これらの装置は、圧力調整器の空気の出口において、一定の値まで、織機の中央の圧縮空気供給ラインからの、または、内部の圧縮空気分配ラインからの、空気圧を減少させる、及び、調整する。
【０００７】
エアジェット織機は、空気の出口を有する電気的に制御可能な圧力調整手段を、更に有している。そのような電気的に制御可能な圧力調整手段は、例えば、ＥＰ  １  ２８８  ３５９Ａ１からのモータ制御される減圧弁として、当業者にとって既知である。モータは、減圧弁つまり圧力調整器の内部の調整部材または制御要素を移動させ、この調整部材または制御要素を介して、電気的に制御可能な圧力調整の空気の出口において、一定の値まで、織機の中央の圧縮空気供給ラインからの、または、内部の圧縮空気分配ラインからの、空気圧が減少される、及び、調整される。
【０００８】
当然ながら、当業者にとって既知であるように、モータの代わりに圧力調整器の電気的制御のための他の原理（磁気、圧電等）も、可能である。
【０００９】
電気的な起動は、一般に、織機コントローラを介して達成される。本発明によれば、圧力制御ラインが存在しており、電気的に制御可能な圧力調整手段によって、様々な異なる空気圧または制御圧力が生成可能である。更に、いくつかの電気的に切替可能な弁が存在しており、それぞれ、空圧式の圧力調整器の空気の制御入口に割り当てられている。
【００１０】
これらの電気的に切替可能な弁を介して、それぞれ１つの関連付けられた空気の制御入口が、圧力制御ラインに接続され得る。一般に、エアジェット織機の運転の間、それぞれ、常に１つの空気の制御入口のみが圧力制御ラインに接続されるように、弁が交互に開かれる。
【００１１】
これは、関連付けられた電気的に切替可能な弁が開かれる瞬間に、圧力制御ライン内に存在する現在の制御圧力が空圧式に制御可能な圧力調整器の制御入口に適用される、ということを意味する。圧力制御ライン内の様々な異なる圧力の調整されたセッティングの後に弁を開閉することによって、様々な異なる空圧式に調整可能な圧力調整器が、空気の制御入口においてそれぞれ適切に合致または適合された制御圧力で、供給され得る。弁は、圧力制御ライン内で、及び、接続された圧力調整器で、所望の圧力のシーケンスまたは推移（progression）を要求する時点で、織機コントローラから源を発して起動され得る。
【００１２】
エアノズルの様々な異なるグループのために様々な異なる制御圧力が必要とされる場合には、それらのグループのそれぞれが、それに割り当てられるそれ自身の空圧式に調整可能な圧力調整器を、有し得る。圧力制御ライン内で様々な異なる制御圧力を電気的に調整することによって、及び、空圧式に調整された圧力調整器の前にそれぞれ迂回接続された（circuit-connected）様々な異なる弁を開くことによって、これにより、それぞれ様々な異なる空気圧―例えば、様々な異なるグループのエアノズルのための―が、空圧式に調整可能な圧力調整器において調整されてセットされ得る。しかしながら、このため、単一の電気的に制御可能な圧力調整手段のみ―従って、例えば、１つの電気的に調整可能な圧力調整器―、及び、エアノズルの各グループに対して１つの追加的な電気的に切替可能な弁、が必要とされる。それに適する弁―例えば電磁弁―は、電気的に調整可能な圧力調整器よりも、構造的に非常にシンプルであり、制御及び起動が容易であり、及び、非常に安価である。
【００１３】
単純なタイプ及び態様でエアノズルの様々な異なるグループについて様々な異なる圧力を調整して設定することを可能にするために、一般に、様々な異なる空気圧をエアノズルに供給するための入力装置を有する電子的な織機コントローラが提供されなければならない。当然ながら、圧力調整のための関連付けられた値はまた、外部または内部のメモリ記憶媒体から読み込まれ得て、または、ロードされ得て、コントローラ内で処理され得る。
【００１４】
説明された有利な弁制御の時間的な推移またはシーケンスを実行することを可能にするために、織機コントローラが電子的手段を有する場合が、有利である。当該電子的手段は、空圧式に調整可能な圧力調整器の空気の制御入口が、前述の時点において、電気的に切替可能な弁を介して圧力制御ラインに接続され得る。
【図面の簡単な説明】
【００１５】
【図１】本発明による、エアジェット織機の圧縮空気供給器のための装置の例示的な一実施の形態の概略図である。
【発明を実施するための形態】
【００１６】
図１は、本発明による、エアジェット織機の圧縮空気供給器のための装置の一実施の形態を、示している。当該エアジェット織機は、圧縮空気の分配ネットワーク７を有しており、当該エアジェット織機内の構成部品には、当該分配ネットワーク７を介して、外部の供給ネットワークから圧縮空気が、提供される。本実施の形態では、３つの空圧式に調整可能な圧力調整器１．１、１．２、１．３がある。その供給物の入口には、圧縮空気の分配ネットワーク７から供給物（空気）が提供または供給される。各空圧式に調整可能な圧力調整器１．１、１．２、１．３は、空気の出口２．１、２．２、２．３と空気の制御入口３．１、３．２、３．３とを、有している。圧縮空気は、出口２．１、２．２、２．３から、更に様々な異なる空気の消費装置に方向付けられている。空圧式に調整可能な圧力調整器１．１及び１．２の場合、これらは、エアジェット織機上での緯糸挿入用の２つの異なるエアノズルのグループ（不図示）である。更に、それぞれ、１つの空気タンク８．１または８．２、及び、不図示の弁が、エアノズルと、関連付けられた空圧式に調整可能な圧力調整器１．１、１．２の出口２．１、２．１と、の間に位置付けられている。
【００１７】
本実施の形態では、不図示の追加的な空気タンクを有しない空気消費要素が、第３の空圧式に調整可能な圧力調整器１．３の出口２．３に、接続されている。
【００１８】
空圧式に調整可能な圧力調整器１．１、１．２、１．３は、それぞれ、空気の制御入口３．１、３．２、３．３を有している。これらの制御入口３．１、３．２、３．３に様々な異なる大きさの制御圧力を適用する際に、空圧式に調整可能な圧力調整器１．１、１．２、１．３の出口２．１、２．２、２．３における空気圧は、様々な異なる大きさの空気圧の値に、調整される。
【００１９】
様々な異なる大きさの制御圧力を調整して設定するために、単一の電気的に調整可能な圧力調整弁４が、存在する全ての空圧式に調整可能な圧力調整器１．１、１．２、１．３の空気の制御入口３．１、３．２、３．３に対して、提供されている。この電気的に調整可能な圧力調整弁４は、本例示的な実施の形態では、既知のタイプ及び態様でモータ調整可能（motor-adjustable）に具現化されており、当該モータは、不図示の織機コントローラからその制御信号を得る。更に、空圧式に調整可能な圧力調整器１．１、１．２、１．３の出口において必要とされる様々な空気圧が可能な入口（不図示）が、織機コントローラ上に、提供されている。
【００２０】
織機コントローラは、様々な異なる空気圧の値のシーケンスが、圧力制御ライン５において―すなわち、電気的に調整可能な圧力調整器４の出口において、所定の時間のシーケンスまたは推移において生成される、というような態様で具現化または構成されている。これらの空気圧の値の１つが、電気的に調整可能な圧力調整器４の出口において、及び、それと共に圧力制御ライン５において、存在する時には、常に電気的に切替可能な弁６．１、６．２、６．３が開けられ、圧力制御ライン５を空圧式に調整可能な圧力調整器１．１、１．２、１．３の空気の制御入口３．１、３．２、３．３に接続する。現在普及している、または、適用されている制御圧力を介して、空圧式に調整可能な圧力調整器１．１、１．２、１．３の出口の圧力が、調整されて設定される。次に、電気的に切替可能な弁６．１、６．２、６．３が閉じられ、電気的に調整可能な圧力調整器４が、織機コントローラによって規定される新たな値に調整されて設定され、その次に、電気的に切替可能な弁６．１、６．２、６．３が開けられる。これにより、次の空圧式に調整可能な圧力調整器１．１、１．２、１．３が、その出口２．１、２．２、２．３において規定された空気圧の値に調整されて設定される。必要であれば、織機コントローラの対応するプログラミングを介して、例えばいくつかの電気的に切替可能な弁の同時の切替等の、切替処理の他の時間シーケンスまたは時間進行が可能である。
【００２１】
圧力制御ライン５を有する、または、電気的に調整可能な圧力調整器４を有する、対応して割り当てられた、更なる電気的に切替可能な弁６．Ｎを介して接続され得る、更なる空圧式に調整可能な圧力調整器１．Ｎ、を提供することが、更なる努力なしで直接的に可能である（図１における破線）。この態様において、エアジェット織機の様々な異なる空気ノズルのための様々な異なる空気圧が、単一の電気的に調整可能な圧力調整器４を用いて、織機コントローラへの対応する入力によって電気的に調整され得て、設定され得る。
【符号の説明】
【００２２】
１．１  空圧式に調整可能な圧力調整器
１．２  空圧式に調整可能な圧力調整器
１．３  空圧式に調整可能な圧力調整器
２．１  出口、空気圧の調整器
２．２  出口、空気圧の調整器
２．３  出口、空気圧の調整器
３．１  空気の制御入口、圧力調整器
３．２  空気の制御入口、圧力調整器
３．３  空気の制御入口、圧力調整器
４  電気的に調整可能な圧力調整器
５  圧力制御ライン
６．１  電気的に切替可能な弁
６．２  電気的に切替可能な弁
６．３  電気的に切替可能な弁
７  織機の内部圧縮空気分配ネットワーク
８．１  圧縮空気タンク
８．２  圧縮空気タンク
【図１】
2015520304.tif 000003
【国際調査報告】
2015520304.tif 000004
2015520304.tif 000005
2015520304.tif 000006
2015520304.tif 000007